(57)【特許請求の範囲】
【請求項１】
記録媒体を抽出する第一の回転部材と、
前記第一の回転部材により抽出された記録媒体を搬送する第二の回転部材と、
一定方向に回転駆動する駆動歯車部と、
第一の歯車を備え、前記駆動歯車部の駆動力が伝達された場合に、前記第一の回転部材及び前記第二の回転部材に第一の回転方向の駆動力を伝達する第一の伝達機構と、
第二の歯車を備え、前記駆動歯車部の駆動力が伝達された場合に、前記第一の回転部材に第一の回転方向とは反対方向の第二の回転方向の駆動力を伝達する第二の伝達機構と、
前記駆動歯車部が前記第一の歯車及び前記第二の歯車と重複して噛み合う場合、前記第一の歯車の回転を前記第一の伝達機構に駆動力として伝達する動作と、前記第二の歯車の回転を前記第二の伝達機構に駆動力として伝達する動作のいずれか一方を行う伝達調整部と、を有し、
前記第一の歯車は、前記駆動歯車部と噛み合った場合に第一の回転方向に回転し、
前記第二の歯車は、遊び歯車を介して前記駆動歯車部と噛み合った場合に第二の回転方向に回転し、
前記駆動歯車部は、予め定められた範囲で前記第一の歯車及び前記第二の歯車と重複して噛み合う記録媒体供給装置。
【請求項２】
前記第一の歯車及び前記第二の歯車は同軸上に設けられ、
前記伝達調整部は、前記第一の歯車又は前記第二の歯車の回転を前記第一の伝達機構又は前記第二の伝達機構に伝達しないように緩衝する請求項１記載の記録媒体供給装置。
【請求項３】
前記伝達調整部は、弾性部材を有する請求項１又は２記載の記録媒体供給装置。
【請求項４】
前記第二の回転部材に第二の回転方向の駆動力が伝達するのを遮断する伝達遮断部、をさらに有する請求項１乃至３いずれか記載の記録媒体供給装置。
【請求項５】
前記第一の回転部材と該第一の回転部材が抽出する記録媒体との間を通過して前記第二の回転部材に記録媒体を供給する供給路と、
前記第一の回転部材と該第一の回転部材が抽出する記録媒体とを離間させる離間機構と、
をさらに有する請求項１乃至４いずれか記載の記録媒体供給装置。
【請求項６】
前記離間機構は、前記第一の回転部材が第二の回転方向に予め定められた回数回転した後、該第一の回転部材を離間させる請求項５記載の記録媒体供給装置。
【請求項７】
前記第二の回転部材よりも搬送方向下流側に設けられ、該第二の回転部材から搬送される記録媒体を搬送方向下流側に向けて搬送する第三の回転部材、をさらに有し、
前記第三の回転部材に向けて記録媒体を搬送する場合、前記離間機構は、前記第一の回転部材が抽出した記録媒体が前記第二の回転部材及び前記第三の回転部材により搬送される状態となった後、該第一の回転部材を離間させる請求項５又は６記載の記録媒体供給装置。
【請求項８】
前記離間機構は、前記駆動歯車部とともに駆動回転するように設けられ、回転軸から法線方向端部までの距離が不均一な離間部材を有する請求項５乃至７いずれか記載の記録媒体供給装置。
【請求項９】
記録媒体を載置する載置部、をさらに有し、
前記第一の回転部材は前記載置部に載置された記録媒体を抽出し、
前記離間機構は、前記載置部を前記第一の回転部材から離れる方向へ移動させるようにして、
前記第一の回転部材と該第一の回転部材が抽出する記録媒体とを離間させる請求項５乃至８いずれか記載の記録媒体供給装置。
【請求項１０】
記録媒体に画像を形成する画像形成部と、
前記画像形成部に記録媒体を供給する記録媒体供給部と、を有し、
前記記録媒体供給部は、記録媒体を抽出する第一の回転部材と、
前記第一の回転部材により抽出された記録媒体を搬送する第二の回転部材と、
一定方向に回転駆動する駆動歯車部と、
第一の歯車を備え、前記駆動歯車部の駆動力が伝達された場合に、前記第一の回転部材及び前記第二の回転部材に第一の回転方向の駆動力を伝達する第一の伝達機構と、
第二の歯車を備え、前記駆動歯車の駆動力が伝達された場合に、前記第一の回転部材に第一の回転方向とは反対方向の第二の回転方向の駆動力を伝達する第二の伝達機構と、
前記駆動歯車部が前記第一の歯車及び前記第二の歯車と重複して噛み合う場合、前記第一の歯車の回転を前記第一の伝達機構に駆動力として伝達する動作と、前記第二の歯車の回転を前記第二の伝達機構に駆動力として伝達する動作のいずれか一方を行う伝達調整部と、を有し、
前記第一の歯車は、前記駆動歯車部と噛み合った場合に第一の回転方向に回転し、
前記第二の歯車は、遊び歯車を介して前記駆動歯車部と噛み合った場合に第二の回転方向に回転し、
前記駆動歯車部は、予め定められた範囲で前記第一の歯車及び前記第二の歯車と重複して噛み合う画像形成装置。
【発明の詳細な説明】
【技術分野】
【０００１】
本発明は、記録媒体供給装置及び画像形成装置に関する。
【背景技術】
【０００２】
特許文献１には、搬送方向に対して直列に配置された第１および第２の用紙収容部と、これらの用紙収容部のそれぞれに設けられ、用紙収容部から用紙を繰り出す第１および第２の給紙分離装置と、第１および第２の用紙収容部から給送された用紙を第１の給紙分離装置の下流側で１枚ずつ分離する第１のフィードローラおよびリバースローラと、搬送方向上流側に位置する第２の用紙収容部の第２の給紙分離装置から給送された用紙を第１のフィードローラおよび第１のリバースローラ位置に搬送する搬送装置とを備えている給紙装置が開示されている。
【０００３】
特許文献２には、給紙カセット装置からの用紙取出し後、トルクリミッタにより逆回転されるピックアップローラを設けた給紙装置が開示されている。
【０００４】
特許文献３には、同一の搬送路にカセットをセットすると、給紙の際に電磁クラッチがONして各ローラを給紙方向に回転してカセットの用紙を給紙し、その後に電磁クラッチがOFFしフィードローラとセパレートローラが所定量逆転し、且つ、ソレノイドによりピックアップローラが後退して重送紙をカセットに戻し、また、手差しテーブルをセットすると、同様にその用紙を給紙し、この場合はソレノイドと一方向クラッチによりピックアップローラがロックして用紙に圧接されて、用紙の手差しテーブルへの戻りを阻止する給紙装置が開示されている。
【０００５】
特許文献４には、給紙コロと、給紙コロと協働して用紙を搬送すると共に、回転して用紙下にある用紙の搬送を防ぐ分離コロと、用紙の搬送終了後、所定のタイミングで給紙ローラを回転させて給紙コロと分離コロとの間に挟まれている用紙を用紙トレイに戻す用紙搬送装置および画像形成装置が開示されている。
【０００６】
特許文献５には、給紙命令を受けるとセクタギヤがホームポジションから時計方向に回転を始め、逆転用歯部がアイドルギヤと噛み合うと、セクタギヤの駆動力がアイドルギヤを介して分離ローラ駆動ギヤに伝達され、その分離ローラ駆動ギヤと同様に回転する給紙ローラが逆転され、逆転用歯部とアイドルギヤとの係合はすぐに終了し、続いて、第２欠け歯ギヤが分離ローラ駆動ギヤと噛み合うと、給紙ローラが正転される給紙装置及び画像形成装置が開示されている。
【先行技術文献】
【特許文献】
【０００７】
【特許文献１】特開平０６−１００１９１号公報
【特許文献２】特開平０５−０２４６９１号公報
【特許文献３】特開平０５−０３２３３２号公報
【特許文献４】特開２００３−０６３６７３号公報
【特許文献５】特許第４４３８８７２号公報
【発明の概要】
【発明が解決しようとする課題】
【０００８】
本発明は、記録媒体を抽出する回転部材の回転方向が切り替わる際に、駆動力の伝達が途切れるのを防止することができる記録媒体供給装置及び画像形成装置を提供することを目的とする。
【課題を解決するための手段】
【０００９】
請求項１に係る本発明は、記録媒体を抽出する第一の回転部材と、前記第一の回転部材により抽出された記録媒体を搬送する第二の回転部材と、一定方向に回転駆動する駆動歯車部と、第一の歯車を備え、前記駆動歯車部の駆動力が伝達された場合に、前記第一の回転部材及び前記第二の回転部材に第一の回転方向の駆動力を伝達する第一の伝達機構と、第二の歯車を備え、前記駆動歯車部の駆動力が伝達された場合に、前記第一の回転部材に第一の回転方向とは反対方向の第二の回転方向の駆動力を伝達する第二の伝達機構と、前記駆動歯車部が前記第一の歯車及び前記第二の歯車と重複して噛み合う場合、前記第一の歯車の回転を前記第一の伝達機構に駆動力として伝達する動作と、前記第二の歯車の回転を前記第二の伝達機構に駆動力として伝達する動作のいずれか一方を行う伝達調整部と、を有し、前記第一の歯車は、前記駆動歯車部と噛み合った場合に第一の回転方向に回転し、前記第二の歯車は、遊び歯車を介して前記駆動歯車部と噛み合った場合に第二の回転方向に回転し、前記駆動歯車部は、予め定められた範囲で前記第一の歯車及び前記第二の歯車と重複して噛み合う記録媒体供給装置である。
【００１０】
請求項２に係る本発明は、前記第一の歯車及び前記第二の歯車は同軸上に設けられ、前記伝達調整部は、前記第一の歯車又は前記第二の歯車の回転を前記第一の伝達機構又は前記第二の伝達機構に伝達しないように緩衝する請求項１記載の記録媒体供給装置である。
【００１１】
請求項３に係る本発明は、前記伝達調整部は、弾性部材を有する請求項１又は２記載の記録媒体供給装置
【００１２】
請求項４に係る本発明は、前記第二の回転部材に第二の回転方向の駆動力が伝達するのを遮断する伝達遮断部、をさらに有する請求項１乃至３いずれか記載の記録媒体供給装置である。
【００１３】
請求項５に係る本発明は、前記第一の回転部材と該第一の回転部材が抽出する記録媒体との間を通過して前記第二の回転部材に記録媒体を供給する供給路と、前記第一の回転部材と該第一の回転部材が抽出する記録媒体とを離間させる離間機構と、をさらに有する請求項１乃至４いずれか記載の記録媒体供給装置である。
【００１４】
請求項６に係る本発明は、前記離間機構は、前記第一の回転部材が第二の回転方向に予め定められた回数回転した後、該第一の回転部材を離間させる請求項５記載の記録媒体供給装置である。
【００１５】
請求項７に係る本発明は、前記第二の回転部材よりも搬送方向下流側に設けられ、該第二の回転部材から搬送される記録媒体を搬送方向下流側に向けて搬送する第三の回転部材、をさらに有し、 前記第三の回転部材に向けて記録媒体を搬送する場合、前記離間機構は、前記第一の回転部材が抽出した記録媒体が前記第二の回転部材及び前記第三の回転部材により搬送される状態となった後、該第一の回転部材を離間させる請求項５又は６記載の記録媒体供給装置である。
【００１６】
請求項８に係る本発明は、前記離間機構は、前記駆動歯車部とともに駆動回転するように設けられ、回転軸から法線方向端部までの距離が不均一な離間部材を有する請求項５乃至７いずれか記載の記録媒体供給装置である。
【００１７】
請求項９に係る本発明は、記録媒体を載置する載置部、をさらに有し、前記第一の回転部材は前記載置部に載置された記録媒体を抽出し、前記離間機構は、前記載置部を前記第一の回転部材から離れる方向へ移動させるようにして、前記第一の回転部材と該第一の回転部材が抽出する記録媒体とを離間させる請求項５乃至８いずれか記載の記録媒体供給装置である。
【００１８】
請求項１０に係る本発明は、記録媒体に画像を形成する画像形成部と、前記画像形成部に記録媒体を供給する記録媒体供給部と、を有し、前記記録媒体供給部は、記録媒体を抽出する第一の回転部材と、前記第一の回転部材により抽出された記録媒体を搬送する第二の回転部材と、一定方向に回転駆動する駆動歯車部と、第一の歯車を備え、前記駆動歯車部の駆動力が伝達された場合に、前記第一の回転部材及び前記第二の回転部材に第一の回転方向の駆動力を伝達する第一の伝達機構と、第二の歯車を備え、前記駆動歯車の駆動力が伝達された場合に、前記第一の回転部材に第一の回転方向とは反対方向の第二の回転方向の駆動力を伝達する第二の伝達機構と、前記駆動歯車部が前記第一の歯車及び前記第二の歯車と重複して噛み合う場合、前記第一の歯車の回転を前記第一の伝達機構に駆動力として伝達する動作と、前記第二の歯車の回転を前記第二の伝達機構に駆動力として伝達する動作のいずれか一方を行う伝達調整部と、を有し、前記第一の歯車は、前記駆動歯車部と噛み合った場合に第一の回転方向に回転し、前記第二の歯車は、遊び歯車を介して前記駆動歯車部と噛み合った場合に第二の回転方向に回転し、前記駆動歯車部は、予め定められた範囲で前記第一の歯車及び前記第二の歯車と重複して噛み合う画像形成装置である。
【発明の効果】
【００１９】
請求項１に係る本発明によれば、記録媒体を抽出する回転部材の回転方向が切り替わる際に、駆動力の伝達が途切れるのを防止することができる。
【００２０】
請求項２に係る本発明によれば、請求項１に係る本発明の効果に加え、本構成を有さない場合と比較して、構造を簡略化することができる。
【００２１】
請求項３に係る本発明によれば、請求項１又は２に係る本発明の効果に加え、本構成を有さない場合と比較して、より構造を簡略化することができる。
【００２２】
請求項４に係る本発明によれば、記録媒体が搬送方向に対して傾斜した姿勢となるのを防止することができる。
【００２３】
請求項５に係る本発明によれば、請求項１乃至４いずれかに係る本発明の効果に加え、本構成を有さない場合と比較して、第一の回転部材が供給路から供給される記録媒体の進行を妨害するのを防止することができる。
【００２４】
請求項６に係る本発明によれば、請求項５に係る本発明の効果に加え、本構成を有さない場合と比較して、先行する記録媒体がこれに後続して供給路から供給される記録媒体の進行を妨害するのを防止することができる。
【００２５】
請求項７に係る本発明によれば、請求項５又は６に係る本発明の効果に加え、本構成を有さない場合と比較して、記録媒体を安定した姿勢で搬送方向下流側に向けて搬送することができる。
【００２６】
請求項８に係る本発明によれば、請求項５乃至７いずれかに係る本発明の効果に加え、本構成を有さない場合と比較して、構造を簡略化することができる。
【００２７】
請求項９に係る本発明によれば、請求項５乃至８いずれかに係る本発明の効果に加え、本構成を有さない場合と比較して、供給路を十分に確保することができる。
【００２８】
請求項１０に係る本発明によれば、記録媒体を抽出する回転部材の回転方向が切り替わる際に、駆動力の伝達が途切れるのを防止することができる。
【図面の簡単な説明】
【００２９】
【図１】本発明の実施形態に適用される画像形成装置を示す断面図である。
【図２】本発明の実施形態に適用される記録媒体搬送部の抽出ロール、搬送ロール及びその周辺構造の概略図である。
【図３】本発明の実施形態に適用される駆動機構の斜視図である。
【図４】本発明の実施形態に適用される駆動機構の上面図である。
【図５】本発明の実施形態に適用される駆動機構の構造を説明する説明図である。
【図６】本発明の実施形態に適用される記録媒体搬送部の動作を説明する説明図である。
【図７】本発明の実施形態に適用される記録媒体搬送部の各部の動作状態を示す図である。
【図８】第二の実施形態に適用される記録媒体供給装置の構成の概略図である。
【発明を実施するための形態】
【００３０】
［第一実施形態］
本発明の実施形態について、図面を参照して説明する。
図１は、本発明の一実施形態としての画像形成装置１０の断面図を示す。
【００３１】
画像形成装置１０は画像形成装置本体１２を有し、この画像形成装置本体１２の上部は、画像の形成された記録媒体が排出される排出部１４として用いられる。
画像形成装置本体１２には、収容容器３０Ｙ、３０Ｍ、３０Ｃ、３０Ｋが装脱着自在に設けられている。
【００３２】
収容容器３０Ｙ、３０Ｍ、３０Ｃ、３０Ｋにはそれぞれ、像形成剤として用いられるイエロー（Ｙ）、マゼンタ（Ｍ）、シアン（Ｃ）、黒（Ｋ）のトナーが収容されている。
【００３３】
収容容器３０Ｙ、３０Ｍ、３０Ｃはそれぞれ、形状及び大きさが同様に構成されており、略同一の容積のトナーを収容するようになっている。
収容容器３０Ｋは、収容容器３０Ｙ、３０Ｍ、３０Ｃよりも縦長に構成され、これら収容容器３０Ｙ、３０Ｍ、３０Ｃよりも体積が大きく、これら収容容器３０Ｙ、３０Ｍ、３０Ｃよりも収容するトナーの容積が大きくなるようになっている。
収容容器３０Ｙ、３０Ｍ、３０Ｃと収容容器３０Ｋとは、収容できるトナーの容積が異なるものの、備える部材及び機能は同一に構成されている。
【００３４】
画像形成装置本体１２内には、像形成部４０と、この像形成部４０に記録媒体を供給する記録媒体供給装置４２と、記録媒体の搬送に用いられる搬送路４４が設けられている。
【００３５】
像形成部４０は、例えば４個の像形成ユニット５２Ｙ、５２Ｍ、５２Ｃ、５２Ｋと、潜像形成装置５４と、転写装置５６とにより構成される。像形成ユニット５２Ｙ、５２Ｍ、５２Ｃ、５２ＫはそれぞれＹ、Ｍ、Ｃ、Ｋのトナーを用いて現像剤像を形成する。
以下、各色に対応するＹ、Ｍ、Ｃ、Ｋを省略して「像形成ユニット５２」のように総称する場合がある。各色に対応する他の構成（収容容器３０、感光体ドラム６２等）についても同様とする。
【００３６】
像形成ユニット５２はそれぞれ、像保持体として用いられる感光体ドラム６２と、この感光体ドラム６２を帯電する帯電装置６４と、感光体ドラム６２の表面に形成された静電潜像を現像する現像装置６６と、感光体ドラム６２の表面を清掃する清掃装置６８を有する。
【００３７】
現像装置６６は、潜像形成装置５４によって感光体ドラム６２の表面に形成された静電潜像を、トナーを用いて現像することでトナー像を形成する。
現像装置６６にはそれぞれ、収容容器３０から対応する色のトナーが供給される。
【００３８】
転写装置５６は、転写媒体として用いられるベルト状の中間転写体７２と、一次転写装置として用いられる一次転写ロール７４Ｙ、７４Ｍ、７４Ｃ、７４Ｋと、二次転写装置として用いられる二次転写ロール７６と、中間転写体７２の表面を清掃する清掃装置７８とを有する。
【００３９】
中間転写体７２には、感光体ドラム６２それぞれに形成されたトナー像が重ねられるようにして転写される。中間転写体７２は、支持部材として用いられる例えば４つの支持ロール８２ａ、８２ｂ、８２ｃ、８２ｄによって回転自在に支持されている。
【００４０】
支持ロール８２ａ、８２ｂ、８２ｃ、８２ｄのうち少なくとも一つはモータ等の駆動源（非図示）に連結されており、この駆動源からの駆動伝達を受けて回転することで、中間転写体７２が回転駆動するようになっている。
支持ロール８２ａは、二次転写ロール７６と対向するように配置されており、この二次転写ロール７６のバックアップロールとして機能する。
【００４１】
一次転写ロール７４Ｙ、７４Ｍ、７４Ｃ、７４Ｋはそれぞれ、感光体ドラム６２Ｙ、６２Ｍ、６２Ｃ、６２Ｋに形成された各色に対応するトナー像を、中間転写体７２に転写する。
【００４２】
二次転写ロール７６は、中間転写体７２に転写された各色のトナー像を、記録媒体に転写する。
【００４３】
記録媒体供給装置４２は、例えば記録媒体を積層した状態で収納する記録媒体収納容器９２と、例えば手差しトレイ等の記録媒体載置部９４と、これら記録媒体収納容器９２に収納された記録媒体及び記録媒体載置部９４に載置された記録媒体を搬送する記録媒体搬送部９６とを有する。
【００４４】
記録媒体収納容器９２は、例えば画像形成装置本体１２の前側（図１における左側）に引き出せるようになっており、この画像形成装置本体１２から引き出された状態で記録媒体が補充される。
【００４５】
記録媒体載置部９４は、例えば葉書や厚紙等、記録媒体収納容器９２に収納される記録媒体とは異なる特殊な媒体を載置する際に用いられる。
【００４６】
記録媒体搬送部９６は、抽出ロール１００と、搬送ロール１０２とを有する。
【００４７】
抽出ロール１００は第一の回転部材として用いられ、記録媒体収納容器９２に収納された最上位の記録媒体を抽出する。
搬送ロール１０２は第二の回転部材として用いられ、抽出ロール１００で抽出された記録媒体を像形成部４０に向けて搬送する。搬送ロール１０２と接触するように分離ロール１０４が設けられており、この分離ロール１０４は、この搬送ロール１０２との間で記録媒体を分離する。
【００４８】
分離ロール１０４には、回転制御部材（ワンウェイトルクリミッタ）１０４ａが設けられている。
回転制御部材１０４ａは、記録媒体を像形成部４０に向けて搬送する方向に対しては回転力（トルク）を発生するとともに所定の回転力を超える力が作用するとその伝達力を遮断し、反対の回転に対しては回転力を発生せず空転状態とするように機能する。
【００４９】
搬送路４４は、主搬送路１１０と、供給路１１２と、反転搬送路１１４とにより構成される。
【００５０】
主搬送路１１０は、記録媒体供給装置４２から供給された記録媒体を排出部１４に向けて搬送する搬送路である。主搬送路１１０には、記録媒体の搬送方向上流側から順に、搬送ロール１０２、分離ロール１０４、レジストロール１２２、二次転写ロール７６、定着装置１２４、及び排出ロール１２６が配置されている。
【００５１】
レジストロール１２２は、停止した状態から所定のタイミングで回転を開始し、中間転写体７２にトナー像が転写されるタイミングに合致するように、記録媒体を中間転写体７２と二次転写ロール７６との接触部に供給する。
【００５２】
定着装置１２４は、転写装置５６によりトナー像が転写された記録媒体にこのトナー像を定着させる。
【００５３】
排出ロール１２６は、定着装置１２４によってトナー像が定着された記録媒体を排出部１４に排出する。また、排出ロール１２６は、記録媒体の両面に画像を形成する場合、排出部１４に記録媒体を排出するときとは反対方向に回転し、一方の面に画像が形成された記録媒体を、後端側から反転搬送路１１４へ搬送する。
【００５４】
供給路１１２は、記録媒体載置部９４に載置された記録媒体を、搬送ロール１０２に向けて供給する搬送路である。供給路１１２は、抽出ロール１００とこの抽出ロール１００が抽出する記録媒体との間を通過するように形成されている。
供給路１１２には、搬送ロール１０２に向けて記録媒体を搬送する供給ロール１２８と、この供給ロール１２８に接触し記録媒体を分離する供給分離ロール１３０とが配置されている。
【００５５】
反転搬送路１１４は、一方の面に画像が形成された記録媒体を反転させるとともに、再度、レジストロール１２２の上流側に向けて搬送する搬送路である。反転搬送路１１４には、例えば２つの反転搬送ロール１３２ａ、１３２ｂが配置されている。
【００５６】
また、画像形成装置本体１２には、画像形成装置１０を構成する各部を制御する制御手段として用いられる制御装置１４０が設けられている。
【００５７】
次に、記録媒体搬送部９６の詳細について説明する。
図２は、記録媒体搬送部９６の抽出ロール１００、搬送ロール１０２及びその周辺構造の概略図を示す。
以下、抽出ロール１００、搬送ロール１０２、及びこれらの駆動に関連する構成部それぞれについて、記録媒体を像形成部４０に向けて移動させる回転の方向を第一の回転方向（正転）とし、この第一の回転方向と反対方向の回転を第二の回転方向（逆転）とする。
【００５８】
記録媒体搬送部９６は、回動体１５０を有し、この回動体１５０には、被押圧部１５２が形成されている。回動体１５０は、支持部１５４により回動自在に支持されている。
回動体１５０は、後述する搬送回転軸１８０と同心の軸を中心に回動するように構成されている。
【００５９】
回動体１５０の支持部１５４が設けられている側の反対側には、抽出回転軸１６０が回転自在に配設されている。抽出回転軸１６０に、抽出ロール１００と抽出歯車１６２とが設けられている。
抽出歯車１６２が回転することにより、抽出回転軸１６０を介して抽出ロール１００が回転するようになっている。
【００６０】
回動体１５０には、遊び回転軸（アイドラ軸）１７０が配設されており、この遊び回転軸１７０には、遊び歯車（アイドラギア）１７２が回転自在に設けられている。
遊び歯車１７２は、抽出歯車１６２と噛み合うようになっている。
また、遊び歯車１７２は、搬送回転軸１８０に設けられた搬送歯車１８２と噛み合うようになっている。
【００６１】
抽出回転軸１６０及び遊び回転軸１７０は、回動体１５０の回動に従って回動するようになっている。
例えば、回動体１５０が供給路１１２から離れる方向に回動することで、抽出回転軸１６０、遊び回転軸１７０、及び搬送回転軸１８０これらの相対的な関係を維持したまま、抽出ロール１００が供給路１１２から離れる方向に移動する。
【００６２】
搬送回転軸１８０に、伝達遮断部１８４を介して搬送ロール１０２が設けられている。
伝達遮断部１８４は、例えばワンウェイクラッチにより構成され、搬送ロール１０２に伝達する回転方向が一方向となるように他方の回転方向の伝達を遮断する。
【００６３】
本実施形態において伝達遮断部１８４は、搬送回転軸１８０が正転する場合、その回転の駆動力を搬送ロール１０２に伝達し、搬送回転軸１８０が逆転する場合、その回転の駆動力の搬送ロール１０２への伝達を遮断するようになっている。
このように、搬送ロール１０２は、正転については駆動力により回転し、逆転については空転するように構成されている。
【００６４】
次に、記録媒体搬送部９６を駆動する駆動機構２００について説明する。
【００６５】
図３は、駆動機構２００の斜視図を示す。
図４は、駆動機構２００の上面図を示す。
図５は、駆動機構２００の構造を説明する説明図を示す。
【００６６】
記録媒体搬送部９６には、抽出ロール１００及び搬送ロール１０２を駆動する駆動機構２００が設けられている。
駆動機構２００は、駆動歯車部２０２と、従動歯車部２０４と、遊び駆動歯車２０６と、離間歯車２０８とを備える。
【００６７】
駆動歯車部２０２は、モータ等の駆動源に接続され正転する入力歯車２１０と、駆動歯車群２１２と、被回転規制部２１４と、例えばソレノイド等の回転規制部２１６とにより構成される。
駆動歯車群２１２及び被回転規制部２１４は、一体となって回転するようになっている。被回転規制部２１４が回転規制部２１６により回転を規制されることで、この被回転規制部２１４とともに駆動歯車群２１２の回転が規制される。
【００６８】
駆動歯車群２１２は、第一の駆動歯車２２２と、第二の駆動歯車２２４と、第三の駆動歯車２２６と、第四の駆動歯車２２８とにより構成され、これらは、所定の範囲に歯部を有さない歯欠け歯車となっている。
【００６９】
第一の駆動歯車２２２には付勢部材２３４が設けられており、この付勢部材２３４は、第一の駆動歯車２２２を第二の回転方向に向けて付勢している。
回転規制部２１６による規制が解除されると、付勢部材２３４の付勢力に従って、駆動歯車群２１２及び被回転規制部２１４が逆転するようになっている。
【００７０】
従動歯車部２０４は、搬送回転軸１８０に設けられており、第一の従動歯車２４２と、第二の従動歯車２４４と、例えばばね等の弾性部材からなる緩衝部２４６とにより構成される。
【００７１】
第一の従動歯車２４２は、搬送回転軸１８０を回転軸として回転するようになっている。
第一の従動歯車２４２は、搬送回転軸１８０に固定されており、この第一の従動歯車２４２の回転に従って搬送回転軸１８０が回転するようになっている。
【００７２】
第二の従動歯車２４４は、緩衝部２４６を介して第一の従動歯車２４２に接続されている。
【００７３】
緩衝部２４６は、第二の従動歯車２４４の回転に追従するように設けられており、第一の従動歯車２４２を第二の回転方向に向けて付勢するようになっている。
緩衝部２４６は伝達調整部として用いられ、第一の従動歯車２４２と第二の従動歯車２４４との間で機械的な遊び（隙間）を形成するように機能する。
【００７４】
このため、第一の従動歯車２４２及び第二の従動歯車２４４は、相互の回転力の伝達が緩衝部２４６により緩衝される範囲（例えば歯部２、３歯分）において、同時に互いに異なる方向に回転可能な構成となっている。
例えば、第二の従動歯車２４４が逆転している場合に第一の従動歯車２４２が正転すると、この第二の従動歯車２４４は、緩衝部２４６を収縮させるようにして所定の回数逆転を維持する構成となっている。
【００７５】
なお、第二の従動歯車２４４を搬送回転軸１８０に固定して、この第二の従動歯車２４４の回転に従って搬送回転軸１８０が回転するようにしてもよい。この際は、緩衝部２４６は、第一の従動歯車２４２の回転に追従するように設け、第二の従動歯車２４４を第一の回転方向に向けて付勢するようにする。
【００７６】
離間歯車２０８は、回転軸から法線方向端部までの距離が不均一なカム等により構成される押圧部２５０を有する（図５（ｅ）参照）。押圧部２５０は、離間歯車２０８の回転軸方向に設けられ、この離間歯車２０８の回転に伴って回転するようになっている。
押圧部２５０は、回動体１５０の被押圧部１５２と対向するように設けられており、押圧部２５０の先端２５０ａがこの被押圧部１５２側を向いた場合に、被押圧部１５２を押圧するように構成されている。
【００７７】
このように、離間歯車２０８の回転に伴って、予め定められた範囲において押圧部２５０が被押圧部１５２を押圧することで、回動体１５０が支持部１５４を軸として回動するようになっている。
押圧部２５０は、抽出ロール１００が供給路１１２を通る記録媒体の進路を妨害しない位置となるように、この抽出ロール１００が設けられた回動体１５０を回動させる。
【００７８】
次いで、駆動機構２００の構造の詳細について説明する。
図５（ａ）は、図４におけるａ−ａ線からみた概略図を示す。なお、第一の駆動歯車２２２よりも奥側の構造については図示を省略する。
第一の駆動歯車２２２は、歯部２２２ａと歯欠け部２２２ｂとを有する。
第一の駆動歯車２２２は、歯欠け部２２２ｂが入力歯車２１０と対向している場合においては、この入力歯車２１０の駆動力が伝達されないようになっている。
【００７９】
第一の駆動歯車２２２が付勢部材２３４の付勢力に従って第二の回転方向に回転すると、この第一の駆動歯車２２２の歯部２２２ａが入力歯車２１０と噛み合い、第一の駆動歯車２２２に駆動力が伝達されるようになる。
これにより、駆動歯車群２１２が駆動力により逆転することとなる。
【００８０】
図５（ｂ）は、図４におけるｂ−ｂ線を通る面の概略図を示す。
第二の駆動歯車２２４は、歯部２２４ａと歯欠け部２２４ｂとを有し、第一の従動歯車２４２と対向するようになっている。
第一の従動歯車２４２は、歯部２２４ａと噛み合う場合に正転するようになっている。
【００８１】
図５（ｃ）は、図４におけるｃ−ｃ線を通る面の概略図を示す。なお、従動歯車２０４についての図示は省略する。
被回転規制部２１４は被引掛部２１４ａを有し、この被引掛部２１４ａに回転規制部２１６の引掛部２１６ａが引っ掛かることで、被回転規制部２１４の回転が規制される。
回転規制部２１６を駆動し、引掛部２１６ａの引っ掛かりが解除されると、被回転規制部２１４が回転自在となる。
【００８２】
図５（ｄ）は、図４におけるｄ−ｄ線を通る面の概略図を示す。
第三の駆動歯車２２６は、歯部２２６ａと歯欠け部２２６ｂとを有し、遊び駆動歯車２０６と対向するようになっている。
遊び駆動歯車２０６は、歯部２２６ａと噛み合う場合に正転するようになっている。
一方で、遊び駆動歯車２０６は、第二の従動歯車２４４と噛み合うように構成されている。このため、第二の従動歯車２４４は、遊び駆動歯車２０６が正転する場合に、この遊び駆動歯車２０６とは反対に逆転するようになっている。
【００８３】
図５（ｅ）は、図４におけるｅ−ｅ線を通る面の概略図を示す。
第四の駆動歯車２２８は、歯部２２８ａと歯欠け部２２８ｂとを有し、離間歯車２０８と対向するようになっている。
離間歯車２０８は、歯部２２８ａと噛み合う場合に正転するようになっている。
【００８４】
図５（ｆ）は、図４におけるｆ−ｆ線からみた概略図を示す。なお、押圧部２５０よりも奥側の構造については図示を省略する。
押圧部２５０には、例えばばね等により構成される位置決め部２５２が設けられている。
【００８５】
位置決め部２５２は押圧部２５０の被位置決め部２５０ｂと接触し、この押圧部２５０を初期位置に位置決めするようになっている。
具体的には、押圧部２５０が被押圧部１５２を押圧しさらに回転した後、離間歯車２０８が第四の駆動歯車２２８の歯欠け部２２８ｂと対向するようになる。離間歯車２０８が自由回転可能となると、押圧部２５０は、位置決め部２５２の付勢力に従って初期位置に移動される。
本実施形態において初期位置は、押圧部２５０の先端２５０ａが略水平方向にあり、被押圧部１５２と接触していない位置となっている。
【００８６】
次に、記録媒体搬送部９６の機能について説明する。
図６は、記録媒体搬送部９６の動作を説明する説明図を示す。
図７は、記録媒体搬送部９６の各部の動作状態を示す。
以下、記録媒体搬送部９６が、記録媒体供給装置４２の記録媒体収納容器９２に収納された記録媒体を搬送した後、記録媒体載置部９４に載置された記録媒体を搬送する場合を例に説明する。
【００８７】
図６（ａ）、図７中（ａ）に示すように、記録媒体を搬送している状態においては、抽出ロール１００、搬送ロール１０２及び分離ロール１０４は、正転している。
【００８８】
具体的には、駆動機構２００の第二の駆動歯車２２４と第一の従動歯車２４２とが噛み合い、この第一の従動歯車２４２が正転する。
これに従って、搬送回転軸１８０が正転し、搬送ロール１０２が正転する。
また、搬送回転軸１８０の正転に従って、搬送歯車１８２、遊び歯車１７２、及び抽出歯車１６２を介して抽出回転軸１６０が正転する。これにより、抽出ロール１００が正転する。
【００８９】
このようにして、記録媒体収納容器９２に収納された最上位の記録媒体は、抽出ロール１００により抽出され、搬送ロール１０２により像形成部４０へ向けて搬送される。
【００９０】
図６（ｂ）、図７中（ｂ）に示すように、所定枚数の記録媒体の搬送が完了すると、抽出ロール１００、搬送ロール１０２及び分離ロール１０４の回転が停止する。
【００９１】
具体的には、駆動機構２００の回転規制部２１６が被回転規制部２１４の回転を規制し、駆動歯車群２１２の回転が停止する。これに従って、第一の従動歯車２４２の回転が停止し、搬送回転軸１８０の回転が停止する。
【００９２】
この際、記録媒体収納容器９２に収納された最上位の記録媒体が、この記録媒体収納容器９２の正規の位置に収納されていない状態、例えば搬送ロール１０２と分離ロール１０４とに挟まれた状態で留まる場合がある。正規の位置に収納されていない記録媒体は、後続する記録媒体の搬送の妨害となる場合がある。
本実施形態において正規の位置は、記録媒体収納容器９２に収納された記録媒体が抽出ロール１００により抽出される際に通常とり得る位置（例えば、抽出ロール１００により抽出される前の位置）を示す。
【００９３】
続いて、記録媒体載置部９４に載置された記録媒体の搬送を開始する。
図６（ｃ）、図７中（ｃ）に示すように、抽出ロール１００、搬送ロール１０２及び分離ロール１０４の回転が停止している状態から記録媒体の搬送を開始する際は、まず抽出ロール１００が逆転する。これにより、正規の位置に収納されていない記録媒体は、正規の位置へ移動される。
【００９４】
具体的には、駆動機構２００の回転規制部２１６が被回転規制部２１４の回転の規制を解除すると、駆動歯車群２１２が入力歯車２１０の駆動力を受けて逆転する。
これに従って、第三の駆動歯車２２６が遊び駆動歯車２０６と噛み合い、この遊び駆動歯車２０６が第二の従動歯車２４４と噛み合う。これにより、第二の従動歯車２４４が逆転する。
【００９５】
第二の従動歯車２４４が逆転すると、搬送回転軸１８０が逆転する。搬送回転軸１８０の逆転に従って、搬送歯車１８２、遊び歯車１７２、及び抽出歯車１６２を介して抽出回転軸１６０が逆転する。これにより、抽出ロール１００が逆転する。
【００９６】
このようにして、正規の位置に収納されていない記録媒体は、逆転する抽出ロール１００により記録媒体収納容器９２の正規の位置へ移動される。
【００９７】
この際、搬送回転軸１８０に設けられた伝達遮断部１８４により、搬送ロール１０２には逆転方向の駆動力は伝達されないようになっている。このため、本構成を有さない場合と比較して、記録媒体が搬送方向に対して傾斜した姿勢となり難い。
例えば、記録媒体の搬送方向先端側が搬送ロール１０２及び分離ロール１０４で挟まれた状態において、抽出ロール１００及び搬送ロール１０２それぞれが駆動力によって逆転すると、記録媒体の姿勢が安定せず搬送方向に対して傾斜する場合がある。これに対し、抽出ロール１１０のみを駆動力により逆転させ、搬送ロール１０２（及び分離ロール１０４）を空転させるようにすることで、記録媒体の一端を支持しながら移動させることとなり姿勢が安定する。
【００９８】
搬送ロール１０２は伝達遮断部１８４により、また、分離ロール１０４は回転制御部材１０４ａにより、それぞれ逆転方向に対しては空転するようになっている。このため、本構成を有さない場合と比較して、搬送ロール１０２及び分離ロール１０４に挟まれた記録媒体を、搬送方向反対側に移動させ易くなっている。
【００９９】
図６（ｄ）、図７中（ｄ）に示すように、抽出ロール１００が記録媒体を正規の位置へ移動させるように予め定められた回数逆転した後、回動体１５０が記録媒体収納容器９２から離れる側（本実施形態においては上方）に向けて回動する。
【０１００】
具体的には、駆動機構２００の第四の駆動歯車２２８が、離間歯車２０８と噛み合う。これにより、離間歯車２０８が回転し、この離間歯車２０８の回転に伴って押圧部２５０が回転する。
離間歯車２０８が回転し、押圧部２５０の先端２５０ａが回動体１５０の被押圧部１５２を押圧すると、回動体１５０が上方に移動（上昇）する。これに従って、抽出ロール１００が供給路１１２を通る記録媒体の進路を妨害しない位置に移動する。
【０１０１】
記録媒体を連続して搬送している場合であれば、搬送ロール１０２と、この搬送ロール１０２の搬送方向下流側に設けられたレジストロール１２２とにより記録媒体が搬送される状態となった後、回動体１５０が上昇する（抽出ロール１００が記録媒体から離間する）ように時機が合わされている。
【０１０２】
図６（ｅ）、図７中（ｅ）に示すように、記録媒体載置部９４から供給路１１２を通って記録媒体が供給され、この記録媒体を搬送ロール１０２及び分離ロール１０４が像形成部４０に向けて搬送する。
【０１０３】
具体的には、第二の駆動歯車２２４が第一の従動歯車２４２と噛み合い、第一の従動歯車２４２が正転する。これにより、第一の従動歯車２４２の正転と、第二の従動歯車２４４の逆転とが同時に進行する。
この際、搬送回転軸１８０は、第一の従動歯車２４２の回転に従って、正転する。
【０１０４】
このように、この抽出ロール１００への駆動力の伝達を継続したまま、抽出ロール１００を逆転から正転に切り換えるように構成されている。このため、本構成を有さない場合と比較して、抽出ロール１００が逆転から正転に切り替わる際に、この抽出ロール１００が受ける外力の影響が抑制される。
例えば、逆転の駆動力の伝達を停止した後から正転の駆動力を伝達する構成の場合、これらの駆動力が切り替わる期間はいずれの駆動力も伝達されない状態となり、外力に従って回転自在となる。
【０１０５】
図６（ｆ）、図７中（ｆ）に示すように、供給路１１２を通って供給された記録媒体の先端が搬送ロール１０２及び分離ロール１０４まで搬送された後、回動体１５０が記録媒体収納容器９２に近づく側（本実施形態においては下方）に向けて回動する。
【０１０６】
具体的には、駆動機構２００の離間歯車２０８の回転に伴い、押圧部２５０の先端２５０ａが回動体１５０の被押圧部１５２を押圧する範囲を超える。これに従って、回動体１５０は下降し、上昇する前の位置に戻る。
そして、離間歯車２０８は、押圧部２５０が位置決め部２５２に従って初期位置となるように移動するのに伴って回転する。
回動体１５０は、供給路１１２を搬送される記録媒体の進路を妨害しない時機に合わせて記録媒体収納容器９２側に移動するようになっている。
【０１０７】
また、第一の従動歯車２４２の正転と、第二の従動歯車２４４の逆転とが同時に進行している状態から、第三の駆動歯車２２６と遊び駆動歯車２０６との噛み合いが解消され、第二の従動歯車２４４の回転が停止する。
【０１０８】
［第二実施形態］
次に、第二実施形態について説明する。
図８は、第二実施形態に係る記録媒体供給装置４２の概略図を示す。
第一実施形態においては、離間歯車２０８の押圧部２５０が回動体１５０を回動させる構成であったのに対し、第二実施形態においては、押圧部２５０が記録媒体収納容器９２の積層部３０２を下降させる構成となっている。
【０１０９】
記録媒体収納容器９２は記録媒体を積層して載置する積層部３０２を有し、この積層部３０２には、被押圧部３０４が形成されている。
また、積層部３０２は、付勢部材３０６によって抽出ロール１００側へ向けて付勢されている。
【０１１０】
第二実施形態において、押圧部２５０は、積層部３０２の被押圧部３０４と対向するように設けられている。
図８（ａ）に示すように、押圧部２５０の先端２５０ａが被押圧部３０４側にない場合、積層部３０２は抽出ロール１００に近い側（本実施系形態においては上方）に位置する。
図８（ｂ）に示すように、離間歯車２０８の回転に伴って押圧部２５０が回転すると、この押圧部２５０が被押圧部３０４側（本実施形態においては下方）を向いた場合、被押圧部３０４を押圧する。これにより、積層部３０２が付勢部材３０６の付勢力に抗して下降するようになっている。
【０１１１】
第二実施形態において、押圧部２５０は、積層部３０２に積層された記録媒体（特に、最上位の記録媒体）が供給路１１２を通る記録媒体の進路を妨害しない位置となるように、積層部３０２を抽出ロール１００から離れる側へ移動させる。
【０１１２】
なお、離間歯車２０８の押圧部２５０が回動体１５０を回動させる構成と、押圧部２５０が記録媒体収納容器９２の積層部３０２を下降させる構成とを合わせて適用するようにしてもよい。
この場合、例えば、回動体１５０の被押圧部１５２及び積層部３０２の被押圧部３０４それぞれを押圧するように押圧部２５０を設けるようにする。
【符号の説明】
【０１１３】
１０    画像形成装置
１２    画像形成装置本体
１４    排出部
４０    像形成部
４２    記録媒体供給装置
４４    搬送路
５６    転写装置
９２    記録媒体収納容器
９４    記録媒体載置部
９６    記録媒体搬送部
１００    抽出ロール
１０２    搬送ロール
１０４    分離ロール
１１０    主搬送路
１１２    供給路
１２２    レジストロール
１５０    回動体
１５２    被押圧部
１６０    抽出回転軸
１８０    搬送回転軸
１８４    伝達遮断部
２００    駆動機構
２０２    駆動歯車部
２０４    従動歯車部
２０６    遊び駆動歯車
２０８    離間歯車
２１０    入力歯車
２１２    駆動歯車群
２１４    被回転規制部
２１６    回転規制部
２２２    第一の駆動歯車
２２４    第二の駆動歯車
２２６    第三の駆動歯車
２２８    第四の駆動歯車
２３４    付勢部材
２４２    第一の従動歯車
２４４    第二の従動歯車
２４６    緩衝部
２５０    押圧部
【図１】
0005850296.tif 000002
【図２】
0005850296.tif 000003
【図３】
0005850296.tif 000004
【図４】
0005850296.tif 000005
【図５】
0005850296.tif 000006
【図６】
0005850296.tif 000007
【図７】
0005850296.tif 000008
【図８】
0005850296.tif 000009